(57)【要約】【課題】持ち運んだり、シート部材を広げたり閉じたりする等の作業をする上で取扱いが容易な建物施工用シートを得る。【解決手段】雨天据付シート１は、建物ユニットの上方で広げられて屋根部３３を形成するシート部材３１を有している。このシート部材３１にはエアチューブ１８が取り付けられている。エアチューブ１８はエアが導入されることによりシート部材３１を広げ、前記屋根部３３の骨組みの役割を果たす。このようにエアチューブ１８が骨組みであれば、構造が簡単であり、重量も軽いので、取扱いは容易となる。【選択図】図１
2008144497.tif 000002
【特許請求の範囲】
【請求項１】
建物の施工時に、建物又は同建物を構成する構成部材の上方で広げられて屋根部を形成するシート部材と、
該シート部材に取り付けられ、エアが導入されることによりシート部材を広げて前記屋根部の骨組みとなるエアチューブと
を備えたことを特徴とする建物施工用シート。
【請求項２】
クレーン等の吊下げ装置により吊り下げられる被吊下げ部材の周囲に前記シート部材を設け、前記エアチューブを、エアが充満するとエアチューブが被吊下げ部材の側方に延びた状態で保持されるように前記被吊下げ部材に設けたことを特徴とする請求項１に記載の建物施工用シート。
【請求項３】
前記エアチューブを複数設け、各エアチューブを、前記被吊下げ部材を中心として放射状に配置したことを特徴とする請求項２に記載の建物施工用シート。
【請求項４】
エアが導入されて骨組みとなるエアチューブ長を変更可能としたことを特徴とする請求項３に記載の建物施工用シート。
【請求項５】
複数のチューブ体を一体的に組み合わせて前記エアチューブを構成し、いずれのチューブ体にエアを導入するかにより、骨組みとなるエアチューブ長を可変としたことを特徴とする請求項４に記載の建物施工用シート。
【請求項６】
前記エアチューブを、前記屋根部の周縁部に沿って環状に取り付けたことを特徴とする請求項１乃至５のいずれかに記載の建物施工用シート。
【請求項７】
前記シート部材は前記屋根部の周縁部より延長される余剰部分を有することを特徴とする請求項１乃至６のいずれかに記載の建物施工用シート。
【請求項８】
前記エアチューブに対してエアを給排するエア給排装置を前記被吊下げ部材に載せ、そのエア給排装置を遠隔操作する遠隔操作手段を備えた請求項１乃至７のいずれかに記載の建物施工用シート。
【請求項９】
前記構成部材は建物ユニットであり、前記被吊下げ部材には建物ユニットを吊り下げる吊下げ部材を設けたことを特徴とする請求項１乃至８のいずれかに記載の建物施工用シート。
【発明の詳細な説明】
【技術分野】
【０００１】
本発明は、建物施工中に建物やその構成部材が雨に濡れることを防ぐ建物施工用シートに関するものである。
【背景技術】
【０００２】
建物の現場施工に際し、雨天時など天候が悪い場合には、屋根を取り付ける前の建物や据付作業中の建物ユニットが濡れるなど、不都合が生じるおそれがある。
【０００３】
そこで、このような天候の悪い場合でも建物の施工を可能とすべく、建物や建物ユニットの上方に防水性を有するシート部材を広げて、建物等が雨に濡れることを防ぐ技術が提案されている（特許文献１，２参照）。この従来の建物施工用シートは、シート部材をテント状に広げたり、閉じて収納したりするための骨組みとして、雨傘の骨組みと同様の構成、すなわち複数のアーム部材とそれらを連結するリンク機構とを有する。確かに、この構成によれば、天候が悪い場合でも建物の施工を行うことができるという点でメリットがある。
【特許文献１】特開平８−２６０７１２号公報
【特許文献２】特開平１０−２６６５７８号公報
【発明の開示】
【発明が解決しようとする課題】
【０００４】
しかしながら、上記した従来技術では、雨傘とは違って建物やその構成部材というサイズの大きいものを対象とする以上、シート部材が大型化し、それに伴って骨組みの構造がより複雑となり重量も重くなる。このため、建物施工用シートの持ち運びや、シート部材を広げたり閉じたりする等の作業をする上で取扱いが困難となるといった改善の余地が残されている。
【０００５】
本発明は、かかる事情に鑑みてなされたものであり、持ち運んだり、シート部材を広げたり閉じたりする等の作業をする上で、取扱いが容易な建物施工用シートを提供することを目的とする。
【課題を解決するための手段】
【０００６】
以下、上記課題を解決するのに有効な手段等につき、必要に応じて効果等を示しつつ説明する。なお以下では、理解を容易にするため、発明の実施の形態において対応する構成を括弧書き等で適宜示すが、この括弧書き等で示した具体的構成に限定されない。
【０００７】
手段１．建物の施工時に、建物（一階建物５）又は同建物を構成する構成部材（建物ユニット２）の上方で広げられて屋根部（屋根部３３、主屋根部５５）を形成するシート部材（シート部材３１）と、
該シート部材に取り付けられ、エアが導入されることによりシート部材を広げて前記屋根部の骨組みとなるエアチューブ（エアチューブ１８，４０，４５）と
を備えたことを特徴とする建物施工用シート（雨天据付シート１、仮設屋根４）。
【０００８】
手段１によれば、エアチューブ内にエアが導入されることでエアチューブが膨らみ、これが骨組みの役目をなしてシート部材が広げられ、それにより屋根部が形成される。これは、アーム部材とそれらを連結するリンク機構からなる従来の骨組みに比べて、構造が簡単であり、重量も軽い。このため、持ち運んだり、シート部材を広げたり閉じたりする等の作業時に建物施工用シートの取扱いが容易となる。また、構成部材の据付時にこの建物施工用シートを使用する場合、同シートの重量が軽くなった分だけ構成部材の吊り荷重限界を従来よりも高めることもできる。
【０００９】
手段２．クレーン等の吊下げ装置により吊り下げられる被吊下げ部材（箱体１１）の周囲に前記シート部材を設け、前記エアチューブを、エアが充満するとエアチューブが被吊下げ部材の側方に延びた状態で保持されるように前記被吊下げ部材に設けたことを特徴とする手段１に記載の建物施工用シート。
【００１０】
手段２によれば、エアチューブはその内部のエアが排出されると被吊下げ部材から垂れ下がった状態となり、それに伴ってシート部材も同様に垂れ下がって閉じた状態となる。他方、エアチューブはその内部にエアが充満すると被吊下げ部材の側方に延びた状態で保持されるため、シート部材も広げられて屋根部が形成される。したがって、エアチューブ内にエアの給排を行うことで被吊下げ部材の周囲にシート部材を広げたり、閉じたりすることができる。
【００１１】
手段３．前記エアチューブを複数設け、各エアチューブを、前記被吊下げ部材を中心として放射状に配置したことを特徴とする手段２に記載の建物施工用シート。
【００１２】
手段３によれば、屋根部の骨組みとなる複数のエアチューブが放射状に配置されているため、シート部材が広げられた状態を少ない本数で保持することができる。
【００１３】
手段４．エアが導入されて骨組みとなるエアチューブ長を変更可能としたことを特徴とする手段３に記載の建物施工用シート。
【００１４】
手段４によれば、骨組みとなるエアチューブ長を変更することにより、建物又は構成部材の大きさに合わせて屋根部の平面積を適宜変更することができる。
【００１５】
手段５．複数のチューブ体（チューブ体４１，４２，４５ａ，４５ｂ）を一体的に組み合わせて前記エアチューブを構成し、いずれのチューブ体にエアを導入するかにより、骨組みとなるエアチューブ長を可変としたことを特徴とする手段４に記載の建物施工用シート。
【００１６】
手段５によれば、チューブ体を適宜選択してエアを導入すれば、骨組みとなるエアチューブ長を変更できる。
【００１７】
手段６．前記エアチューブを、前記屋根部の周縁部に沿って環状に取り付けたことを特徴とする手段１乃至５のいずれかに記載の建物施工用シート。
【００１８】
手段６によれば、シート部材に対して環状に取り付けられたエアチューブが骨組みの役目をなしてシート部材が広げられ、それによって屋根部が形成される。この場合も、前述した手段１と同様の効果が得られる。
【００１９】
手段７．前記シート部材は前記屋根部の周縁部より延長される余剰部分（側面覆い部３４，５８、拡張屋根部５６，５７）を有することを特徴とする手段１乃至６のいずれかに記載の建物施工用シート。
【００２０】
手段７によれば、余剰部分を様々な用途に利用できる。例えば、建物又は構成部材の側面の少なくとも上部を覆う側面覆い部として利用した場合には、その側面覆い部により、屋根部だけを有する構成よりも、建物又は構成部材が雨に濡れることを防止できる。また、屋根部の周囲に設けられる拡張屋根部として利用すれば、エアチューブを長くしなくても屋根部分の範囲を広げることができる。さらに、拡張屋根部として利用すると共に、その周縁部からさらに延長された部分を側面覆い部として利用することもできる。
【００２１】
手段８．前記エアチューブに対してエアを給排するエア給排装置（エア給排装置２１）を前記被吊下げ部材に載せ、そのエア給排装置を遠隔操作する遠隔操作手段（コントローラ２４、送信装置２５、受信装置２６）を備えた手段１乃至７のいずれかに記載の建物施工用シート。
【００２２】
手段８によれば、被吊下げ部材にエア給排装置が載せられているため、エア給排装置の重量によって風の影響を抑制できる。また、エア給排装置が被吊下げ部材に載せられていても、遠隔操作手段を有することから、建物施工用シートを吊下げ装置に吊下げた状態でシート部材の開閉作業を行える。
【００２３】
手段９．前記構成部材は建物ユニット（建物ユニット２）であり、前記被吊下げ部材には建物ユニットを吊り下げる吊下げ部材（ユニット吊り部材１６、ユニット吊りフック１７）を設けたことを特徴とする手段１乃至８のいずれかに記載の建物施工用シート。
【００２４】
ここで、ユニット式建物を構成する建物ユニットは、施工現場においてトラック等の荷台から積み降ろされ、当該現場で組み付けられる。その積み降ろしの際にこの建物施工用シートを用いれば、雨天時の作業でも建物ユニットが雨に濡れることを防止できる。
【００２５】
手段１０．手段７に記載の建物施工用シートにおいて、
前記建物はユニット式建物（一階建物５）であり、シート部材の前記余剰部分には該余剰部分を広げて仮設屋根を形成すべく建物の上部に設けた仮設柱（仮設柱５１）に取り付けられる被取付部（フック）を設けたことを特徴とする建物施工用シート。
【００２６】
手段１０によれば、ユニット式建物の上方で屋根部が形成された後、シート部材の被取付部が仮設柱を介してユニット式建物に取り付けられると、余剰部分が広げられて前記屋根部の周囲に拡張屋根部が形成される。これにより、建物施工用シートを用いて仮設屋根を形成することができる。仮設屋根を形成する場合において、この手段９のようにユニット式建物側にシート部材を取り付ける構成によれば、足場に取り付けた場合にはその足場の補強が必要になるのとは異なり、そのような特別な補強は不要となる。これにより、特別な補強に必要な作業の手間や施工コストの増加が抑えられる。
【００２７】
手段１１．手段１０に記載の建物施工用シートと前記仮設柱とを備え、前記被取付部を仮設柱に取り付けることで拡張屋根部（拡張屋根部５６，５７）を形成した仮設屋根（仮設屋根４）であって、
前記拡張屋根部の周縁部から延長された余剰部分を利用して建物側面の少なくとも上部を覆う側面覆い部（側面覆い部５８）を設け、前記仮設柱には前記側面覆い部を建物の外壁から離れた状態で保持する離隔保持部（水平突部５４）を設けたことを特徴とする仮設屋根。
【００２８】
手段１１によれば、離隔保時部により、側面覆い部は建物の外壁から離れた状態で保持されるため、建物の外壁の上部に対して各種工事を行う際の作業スペースを確保できる。これにより、側面覆い部を設けてもそれが作業の邪魔にならない。
【発明を実施するための最良の形態】
【００２９】
以下、本発明の建物施工用シートを具体化した実施の形態について、図面を参照しつつ説明する。
【００３０】
［第１の実施形態］
本実施の形態では建物施工用シートを、建物ユニットの据付作業時に、建物ユニットが雨に濡れることを防ぐための雨天据付シートとして用いている。
【００３１】
図１はシート部材３１を広げた状態の雨天据付シート１を示す斜視図、図２は図１の平面図である。図１及び図２に示すように、建物施工用シートとしての雨天据付シート１はクレーンに吊下げられる被吊下げ部材としての箱体１１を備えている。箱体１１は平面視において四角形を形成する枠部材１２と、底部材１３とで構成されている。枠部材１２にはその上端部の角部分に、ワイヤ等のシート吊り部材１４の一端部が取り付けられている。各シート吊り部材１４は略同じ長さに形成され、その他端部は吊りリング１５に集められている。そして、この吊りリング１５がクレーン側のフックＦに引っ掛けられることにより、箱体１１がクレーンに吊下げられる。
【００３２】
箱体１１には、ワイヤ等のユニット吊り部材１６の一端部が取り付けられている。箱体１１の下方に垂れ下がる各ユニット吊り部材１６の他端部にはユニット吊りフック１７が設けられている。
【００３３】
また、箱体１１には、箱体１１の四隅から側方に向けて延びるようにして、複数のエアチューブ１８が設けられている。具体的に説明すると、枠部材１２の四隅にはその下部にチューブ挿通孔１９がそれぞれ設けられている（後述する図６を参照）。各チューブ挿通孔１９には直線状のエアチューブ１８が一本ずつ挿通されている。これら四本のエアチューブ１８はそれぞれ同一形状かつ同一長さを有し、平面視において箱体１１を中心として放射状をなすように配置されている。各エアチューブ１８はこのように配置された状態で、その基端部が底部材１３に取り付けられている。なお、この取り付けに関しては、例えば一方に取り付けたフックと他方に取り付けたリングとを引っ掛ける等、適宜の方法を採用できる。そして、各エアチューブ１８の先端同士を仮想的につないだ場合に形成される仮想四角形の平面積が少なくとも建物ユニット２の平面積よりも大きくなるように、箱体１１の平面形状、各エアチューブ１８の長さ等が決められている。
【００３４】
また、図２に示すように、箱体１１内には、各エアチューブ１８に対してエアの給排を行うエア給排装置２１が設置されている。図３はエア給排装置２１の構成図である。この図３に示すように、エア給排装置２１はコンプレッサ２２、切換弁２３及びコントローラ２４を備えている。コンプレッサ２２と四本の各エアチューブ１８とは、切換弁２３を介して接続されている。コンプレッサ２２と切換弁２３とはコントローラ２４に接続され、コントローラ２４には発信装置２５からの信号を無線により受信する受信装置２６が設けられている。そして、受信装置２６が発信装置２５から出力された給気信号を受信すると、コントローラ２４により、コンプレッサ２２の導出口と各エアチューブ１８とがつながるように切換弁２３が操作される。それと共に、コンプレッサ２２が駆動される。これにより、各エアチューブ１８にコンプレッサ２２からエアが導入される。
【００３５】
他方、受信装置２６が発信装置２５から出力された排気信号を受信すると、コントローラ２４により、各エアチューブ１８につながるエア配管が大気開放となるように切換弁２３が操作される。それと共に、コンプレッサ２２の駆動が停止される。これにより、各エアチューブ１８内のエアが大気中に排気される。なお、本実施の形態では、コントローラ２４、発信装置２５及び受信装置２６により遠隔操作手段が構成されている。
【００３６】
箱体１１にはシート部材３１が取り付けられている。シート部材３１は、ポリエチレン等を材質とする防水性のシートであり、その中央部には箱体１１の平面形状に合わせた取付孔が形成されている。シート部材３１はエアチューブ１８の上方から同エアチューブ１８に被さるようにして設けられており、取付孔を形成する開口縁部３２が箱体１１の枠部材１２の外周面に取り付けられている。さらに、シート部材３１にはその内側に存在するエアチューブ１８が取り付けられている。
【００３７】
以上のような構成を有する雨天据付シート１では、図１及び図２に示すように、箱体１１から放射状に延びた四本のエアチューブ１８が骨組みとなってシート部材３１が開けられ、屋根部３３が形成される。屋根部３３は、平面視において各エアチューブ１８の先端を仮想的につないで形成される仮想四角形と略同形状である。このため、屋根部３３の平面積も建物ユニット２の平面積よりも大きい。そして、その屋根部３３の周縁部全体から下方にシート部材３１の余剰部分が垂れ下がり、その余剰部分によって側面覆い部３４が形成されている。この側面覆い部３４はユニット吊下げ部材１６によって吊下げられた状態にある建物ユニット２の側面全体を覆うのに充分な長さを有する。この屋根部３３及び側面覆い部３４により、ユニット収容空間３５が形成されている。
【００３８】
図４は、雨天据付シート１を使用して建物ユニット２を吊下げた状態を概略的に示している。同図はシート部材３１の内側の構成も実線で示している。この図４に示すように、ユニット収容空間３５内に建物ユニット２を収容し、ユニット吊りフック１７（図４では図示略）を建物ユニット２の吊りリング３に引っ掛ければ、建物ユニット２は前記収容空間３５内に収容された状態で、クレーンに吊下げられる。これにより、雨天時でも、建物ユニット２の据付作業をする際に、建物ユニット２が雨に濡れることを防げる。
【００３９】
次に、シート部材３１を広げる操作と閉じる操作について説明する。
【００４０】
図５はシート部材３１を閉じた状態の雨天据付シート１を示す斜視図である。図５に示すように、各エアチューブ１８にエアが導入されていない状態では、箱体１１を吊下げるとその箱体１１からシート部材３１が垂れ下がる状態、すなわち閉じた状態となっている。なお、雨天据付シート１はこの状態からさらにシート部材３１を箱体１１側に集めてコンパクト化し、その状態で持ち運びがなされる。
【００４１】
図６はエアチューブ１８が立ち上がる様子を示す説明図である。シート部材３１を広げる場合には、前述の閉じた状態において、作業者が発信装置２５を操作して給気信号を送信する。受信装置２６がこの給気信号を受信すると、前述したコントローラ２４の操作により各エアチューブ１８内にエアが導入される。すると、図６に示すように、各エアチューブ１８は初期状態１８ａから徐々に膨らみながら立ち上がり、中途状態１８ｂを経て、エアが充満すると起立状態１８ｃとなる。このようにエアチューブ１８が立ち上がるにつれてシート部材３１も徐々に広がり初め、四本のエアチューブ１８全てがこの起立状態１８ｃとなれば、シート部材３１は完全に広がった状態（図１及び図４の状態）となり、ユニット収容空間３５が形成される。
【００４２】
他方、建物ユニット２の据付作業が終了し、シート部材３１を閉じる場合には、作業者は発信装置２５を操作して排気信号を送信する。受信装置２６がこの排気信号を受信すると、前述したコントローラ２４の操作により各エアチューブ１８内のエアが大気中に排気される。すると、各エアチューブ１８は先ほどとは逆に、起立状態１８ｃから中途状態１８ｂを経て初期状態１８ａに戻ろうとする。このように各エアチューブ１８がしぼんでいくにつれてシート部材３１も徐々に閉じる。
【００４３】
以上詳述した本実施の形態の雨天据付シート１は、以下の優れた効果を有する。
【００４４】
この雨天据付シート１は、エアが充満して膨らんだ状態の各エアチューブ１８がシート部材３１を広げ、エアチューブ１８内のエアを排気すればエアチューブ１８はしぼんでシート部材３１が閉じるようになっている。すなわち、エアチューブ１８がシート部材３１を開閉させる骨組みの役割を果たす。このため、従来の傘装置の開閉構造に比べて、構造が簡単であり、重量も軽い。これにより、雨天据付シート１の持ち運び、シート部材３１の開閉作業等に際して、取扱いが容易となる。また、重量が軽くなった分、建物ユニット２の吊り荷重限界を従来の傘装置を用いた場合よりも高めることもできる。
【００４５】
さらに、重量が軽く取扱いも容易なため、天候が不安定だが作業開始時には雨が降っていないというような状態でも、雨天据付シート１を用いた建物ユニット２の据付作業が可能となり、これにより急な雨にも即座に対応して建物ユニット２が雨に濡れることを防げる。雨が降っていない状態では、雨天時と同様にユニット収容空間３５内に建物ユニット２を吊下げてもよいし、シート部材３１を閉じた後さらにそれを箱体１１側にたくし上げて保持し、その状態で建物ユニット２を吊下げるようにしてもよい。
【００４６】
この雨天据付シート１は屋根部３３を有するだけでなく、吊下げ状態にある建物ユニット２の側面全体を覆う側面覆い部３４を有している。これにより、屋根部３３に相当する部分を有しているだけの構成と異なり、建物ユニット２の据付作業時に同ユニット２が雨に濡れることをより一層防げる。
【００４７】
なお、エアチューブが骨組みとなり重量が軽くなったことで、据付作業時に雨天据付シート１が風の影響を受けやすくなるという懸念もあり得る。しかしながら、雨天据付シート１は箱体１１内にエア給排装置２１が設置されている。その重量によって風の影響は充分に抑えられるし、それでも大きな影響を受けるような場合はそもそも建物ユニット２の据付作業には適さない天候であるといえる。このため、前述した懸念については、ほとんど問題がないといってよい。
【００４８】
なお、本実施の形態は上記の内容に限定されず、例えば次のように実施してもよい。
【００４９】
エアチューブ１８の本数は四本に限定されるものではなく、屋根部３３の形状に応じて適宜異なる本数としてもよい。例えば、三本のエアチューブ１８を放射状に設ければ平面形状が三角形の屋根部３３が形成されるし、五本のエアチューブ１８を放射状に設ければ平面形状が五角形の屋根部３３が形成される。また、本実施の形態において、エアチューブ１８を四本からさらに増やしてそれらを放射状に配置すれば、骨組みの増加により屋根部３３を補強できる。
【００５０】
図７（ａ）に示すように、放射状に設けたエアチューブ１８に加え、屋根部３３の周縁に沿って環状に形成したエアチューブ４０を設け、両エアチューブ１８，４０の内部をつなげた構成としてもよい。この構成では、放射状のエアチューブ１８と環状のエアチューブ４０とにエアを充満させれば、それらが骨組みとなってシート部材３１を広げることができる。なお、放射状のエアチューブ１８の代わりに環状のエアチューブ４０だけを設けた構成としてもよい。
【００５１】
図７（ｂ）に示すように、長さの異なる複数のチューブ体４１，４２を一体的に組み合わせてエアチューブ１８を構成し、各チューブ体４１，４２に対し独立してエアの給排を行えるようにしてもよい。この構成によれば、エアを導入するチューブ体４１，４２を適宜選択することにより、吊下げる建物ユニット２の大きさに合わせる等、必要に応じて屋根部３３の平面積を変更できる。例えば、第１チューブ体４１内にエアを導入すれば第１屋根部４３が形成され、第１チューブ体４１より短い第２チューブ体４２内にエアを導入すれば第１屋根部４３より平面積の小さい第２屋根部４４が形成される。
【００５２】
確かに、屋根部４３，４４の平面積を変更することは、アーム部材とリンク機構を用いた従来の構造でも不可能ではない。しかしながら、もともと複雑な構造がさらに複雑化してしまう点で問題がある。これに対し、この例のようにチューブ体４１，４２を骨組みとして用いる構成では、チューブ体４１，４２の本数を増やすだけであるから構造もシンプルである。
【００５３】
図７（ｃ）に示したように、複数のチューブ体４５ａ，４５ｂに区画されたエアチューブ４５を設け、各チューブ体４５ａ，４５ｂに対し独立してエアの給排を行えるようにしてもよい。この構成によっても、エアを導入するチューブ体４５ａ，４５ｂを適宜選択することにより、屋根部４３，４４の平面積を必要に応じて変更できる。
【００５４】
各エアチューブ１８を、エアが充満した状態では屋根部３３の周縁部で下方に折れ曲がる形状とし、折れ曲がった先の部分を側面覆い部３４の骨組みとする構成としてもよい。この構成によれば、側面覆い部３４は骨組みにより所定の形状に保たれるため、建物ユニット２を荷降ろしする際に雨天据付シート１を建物ユニット２に被せやすくなる。
【００５５】
側面覆い部３４は必須のものではなく、シート部材３１を広げると屋根部３３だけが形成される構成としてもよい。この構成でもエアチューブ１８がシート部材３１を開閉させる骨組みの役割を果たす点では側面覆い部３４を設けた構成と変わりはない。そのため、取扱いが容易であるとか、建物ユニット２の吊り荷重限界を高める等の効果は同じように得られる。
【００５６】
エア給排装置２１を雨天据付シート１の外部、例えばクレーン側に設けた構成としてもよい。この構成によれば、雨天据付シート１の重量がより一層軽くなり、持ち運び等の取扱いがさらに容易となる。この場合、確かに雨天据付シート１は風の影響を受けやすなるが、風の穏やかな状態であればその点についての問題はなくなる。
【００５７】
また、エア給排装置２１を箱体１１に対して着脱可能な構成としてもよい。この構成によれば、通常はエア給排装置２１を箱体１１から外して取扱いが容易な状態としておき、現場の状況等を考慮して適宜、エア給排装置２１を箱体１１に設置するという扱いも可能となる。これにより、現場の状況に合わせた柔軟な使い方ができる。
【００５８】
箱体１１内に雨水が溜まることを防ぐため、箱体１１には蓋部材を設けてもよいし、蓋部材の代わりに排水装置を設けてもよい。
【００５９】
エアチューブ１８内のエアを排出させる構成として、単なる大気開放ではなく真空ポンプ等の排気装置を設けてもよい。また、コンプレッサ２２の吐出側から吸入側に接続を切り替えて、エアの導入・吸引のいずれもコンプレッサ２２により行われるように構成してもよい。この構成によれば、大気開放だけでは困難な完全なエア抜きを容易に行える。そのため、シート部材３１を閉じて雨天据付シート１をコンパクトに収納する作業が行いやすい。
【００６０】
［第２の実施形態］
本実施の形態では建物施工用シートを、建物ユニットが据え付けられた建物の仮設屋根、具体的には一階部分の据付が終了した建物（以下、一階建物という。）の仮設屋根として用いている。なお、この仮設屋根は第１の実施形態で説明した雨天据付シート１と同一の構成を有するため、それについては同じ符号を付して説明を適宜省略し、以下では相違する部分を中心に説明する。
【００６１】
図８は、仮設屋根を示す斜視図である。図８に示すように、この仮設屋根４はユニット吊り部材１６及びユニット吊りフック１７が設けられていない。また、一階建物５の上面を充分に覆えるように、シート部材３１は箱体１１から垂れ下がる長さが雨天据付シート１よりも長く形成されている。そして、箱体１１が一階建物５の上方に配置され、雨天据付シート１と同様に、各エアチューブ１８にエアが導入され、それが骨組みとなってシート部材３１が広げられている。これにより、仮設屋根４には、雨天据付シート１の屋根部３３に相当する部分として主屋根部５５が形成される。
【００６２】
次に、仮設屋根４を設置する上では、図９に詳細を示すように、一階建物５の上端出隅部分に仮設柱５１が設けられている。この実施の形態の一階建物５は平面形状が四角形状であるため、仮設柱５１は各出隅部分に一個ずつ、計四個設けられている。なお、一階建物５の平面形状は四角形状に限定されないため、その場合は、一階建物５の上部を充分に覆えるように、適当な出隅及び入隅部分に複数の仮設柱５１が設けられる。
【００６３】
この仮設柱５１は一階建物５の上端部に取り付けられる基部５２を有している。基部５２には、その上面から鉛直方向に立ち上がる柱部５３と、水平方向に延びる水平突部５４とが設けられている。そして、各仮設柱５１の水平突部５４の先端を仮想的につないで形成される仮想平面形状は、一階建物５の平面形状より一回り大きくなっている。
【００６４】
主屋根部５５が形成された状態で、主屋根部５５の周縁部全体から垂れ下がったシート部材３１の余剰部分は、その内側で各仮設柱５１の柱部５３の先端部に取り付けられている。これにより、主屋根部５５の周囲には第１の拡張屋根部５６が形成される。
【００６５】
さらに、第１の拡張屋根部５６の周縁部全体から垂れ下がったシート部材３１の余剰部分は、その内側で各仮設柱５１の水平突部５４の先端部に取り付けられている。これにより、第１の拡張屋根部５６の周囲には第２の拡張屋根部５７が形成される。第２の拡張屋根部５７まで含めた屋根部全体の平面形状は、各水平突部５４の先端部を仮想的につないで形成される仮想平面形状と略同形状である。前述したように、その仮想平面形状は一階建物５の平面形状よりも一回り大きいため、主屋根部５５と両拡張屋根部５６，５７とで一階建物５の上部は充分に覆われている。そして、その第２の拡張屋根部５７の周縁部からも余剰部分が垂れ下がっており、その余剰部分によって側面覆い部５８が形成されている。一階建物５の側面上部はこの側面覆い部５８によって覆われている。
【００６６】
なお、シート部材３１を柱部５３及び水平突部５４に取り付ける構成に関しては、シート部材３１に取り付けた被取付部としてのフックを柱部５３及び水平突部５４に設けた取付孔に引っ掛ける構成となっている（図示略）。ただ、取付孔に代えてリングを設けたり、リングとフックを逆に設けたりする等、他の適宜の方法を採用できる。
【００６７】
以上の構成を有する仮設屋根４を一階建物５に設置することにより、一階建物５の天井部分に対して必要な各種工事、例えば配線工事やユニット連結工事等を雨天でも実施することができる。
【００６８】
次に、仮設屋根４の設置作業及び撤去作業について説明する。
【００６９】
本実施の形態でも、雨天据付シート１と同様、各エアチューブ１８にエアが導入されていない状態では、シート部材３１は閉じた状態となっている。そして、一階建物５の上方で各エアチューブ１８内にエアを導入すると、各エアチューブ１８が膨らんでシート部材３１が広げられ、これにより主屋根部５５が形成される。その後、シート部材３１の余剰部分を各仮設柱５１の柱部５３、水平突部５４に順次取り付ければ、第１及び第２の拡張屋根部５６，５７、さらに側面覆い部５８が形成される。これにより、仮設屋根４が設置される。
【００７０】
他方、仮設屋根４を撤去する場合は、シート部材３１を各仮設柱５１から取り外した後、各エアチューブ１８内のエアを排気する。すると、各エアチューブ１８はしぼんでシート部材３１も徐々に閉じる。それを一階建物５の上方から取り除けば仮設屋根４の撤去作業は終了する。
【００７１】
以上詳述した本実施の形態の仮設屋根４は、以下の優れた効果を有する。
【００７２】
この仮設屋根４では、エアチューブ１８が主屋根部５５の骨組みの役割を果たしている。このため、複数のアーム部材やそれらを連結するリンク機構を備えた骨組みに比べて構造が簡単であり、重量も軽い。これにより、持ち運び、主屋根部５５を形成する作業等に際して取扱いが容易となる。
【００７３】
主屋根部５５が形成された後、シート部材３１の余剰部分を一階建物５に設けた仮設柱５１に取り付けることで拡張屋根部５６，５７が形成される。このため、仮設屋根４は一階建物５に固定されることになる。この点、仮設屋根４を一階建物５の周囲に設置された足場に固定する構成では、仮設屋根４が受ける風圧がその足場に入力される。このため、足場の補強が必要となり、それは作業の手間や施工コストの増加につながるという問題がある。これに対して、本実施の形態のように仮設柱５１を介して建物に仮設屋根４を固定する構成によれば、足場の補強等の特別な構造補強は不要である。特に、ユニット式建物の場合、各階部分の据付が終了した建物は仮設屋根４が受ける風圧にも充分耐えられる強度を有している。このため、ユニット式建物に仮設屋根４を固定したとしても、建物に特別な補強を施すことは不要である。これにより、作業の手間や施工コストの増加を抑制できる。
【００７４】
仮設屋根４は一階建物５の側面上部を覆う側面覆い部５８を有している。このため、主屋根部５５及び拡張屋根部５６，５７を有するだけの構成に比べ、一階建物５の天井部分に雨が入り込むことを防げる。
【００７５】
仮設柱５１は水平突部５４を有し、この水平突部５４の先端部にシート部材３４が取り付けられる。そして、各水平突部５４の先端部を仮想的につないで形成される仮想平面形状は一階建物５の平面形状よりも一回り大きくなっている。このため、側面覆い部５８は一階建物５の外壁から離れた状態で保持されることになり、一階建物５の外壁の上部に対して各種工事を行う際の作業スペースを確保できる。これにより、側面覆い部５８を設けてもそれが作業の邪魔にならない。
【００７６】
なお、仮設屋根４は一階建物５に対してのみ用いられるのではなく、各階の据付が終了した建物に用いてもよい。また、ユニット式建物に対してのみ用いられるものでもなく、在来工法で建てられた建物に用いてもよい。
【００７７】
また、側面覆い部５８は必須のものではなく、主屋根部５５及び拡張屋根部５６，５７が形成されるだけの構成としてもよい。この構成でも、取扱いが容易であるとか、特別な補強が不要等の効果は同じように得られる。
【図面の簡単な説明】
【００７８】
【図１】第１実施形態の雨天据付シートについて、シート部材を広げた状態を示した斜視図。
【図２】図１の平面図。
【図３】エア給排装置の構成図。
【図４】建物ユニットを吊下げた状態を示した概略図。
【図５】シート部材を閉じた状態を示した斜視図。
【図６】エアチューブが立ち上がる様子を示した説明図。
【図７】（ａ）〜（ｃ）はいずれもエアチューブについて別の実施形態を示した平面図。
【図８】第２実施形態の仮設屋根を示した斜視図。
【図９】図８の一部拡大図。
【符号の説明】
【００７９】
１…建物施工用シートとしての雨天据付シート、２…建物の構成部材としての建物ユニット、４…建物施工用シートとしての仮設屋根、５…建物としての一階建物、１１…被吊下げ部材としての箱体、１８，４０，４５…エアチューブ、２１…エア給排装置、２４…遠隔操作手段を構成するコントローラ、２５…遠隔操作手段を構成する発信装置、２６…遠隔操作手段を構成する受信装置、３３…屋根部、３４，５８…余剰部分としての側面覆い部、４１，４２，４５ａ，４５ｂ…チューブ体、５５…屋根部としての主屋根部、５６，５７…余剰部分としての拡張屋根部。
【図１】
2008144497.tif 000003
【図２】
2008144497.tif 000004
【図３】
2008144497.tif 000005
【図４】
2008144497.tif 000006
【図５】
2008144497.tif 000007
【図６】
2008144497.tif 000008
【図７】
2008144497.tif 000009
【図８】
2008144497.tif 000010
【図９】
2008144497.tif 000011